(57)【特許請求の範囲】
【請求項１】
表面に光学識別コードを含むレコードと、
前記レコードの再生に用いられるレコードプレーヤーと、を備え、
前記レコードプレーヤーは、
前記レコードを設置するためのターンテーブルと、
前記ターンテーブルを回転するように駆動させるための第一モーターと、
前記光学識別コードのイメージをキャプチャするためのアームと、
前記イメージに対する復号化を行って前記光学識別コードに対応するコードを獲得するための処理装置と、
前記コードに対応するオーディオファイルを含むメモリと、
前記アームを回転するように駆動させるための第二モーターと、を具備することを特徴とする、
光識別記録システム。
【請求項２】
前記コードに対応する前記オーディオファイルを再生するための少なくとも１つのスピーカーを更に備え、或いは、前記光識別記録システムは、ブルートゥース（登録商標）スピーカーとのブルートゥース接続を確立し、前記コードに対応する前記オーディオファイルを前記ブルートゥーススピーカーにより再生するための無線伝送モジュールを更に備え、または、前記光識別記録システムは、前記コードに対応する前記オーディオファイルを再生するための少なくとも１つのスピーカー、及びブルートゥーススピーカーとのブルートゥース接続を確立し、前記コードに対応する前記オーディオファイルを前記ブルートゥーススピーカーにより再生するための無線伝送モジュールを更に備え、もしくは、前記無線伝送モジュールはモバイルデバイスとのブルートゥース接続を確立し、前記モバイルデバイスから伝送されたオーディオファイルを前記少なくとも１つのスピーカーにより再生することを特徴とする請求項１に記載の光識別記録システム。
【請求項３】
前記レコードプレーヤーはメモリスロットを備え、前記メモリはユーザーにより前記メモリスロットに挿入され、前記レコードの材質として板紙を含むことを特徴とする請求項１に記載の光識別記録システム。
【請求項４】
前記アームの第一端はアーム回転軸に連結され、前記第二モーターは前記アーム回転軸を回転するように駆動させるために用いられ、前記アームの第二端はイメージセンサーが内設されるカートリッジを有し、前記イメージセンサーは前記光学識別コードのイメージをキャプチャするために用いられることを特徴とする請求項１に記載の光識別記録システム。
【請求項５】
前記レコードの再生は暗号化モード及び非暗号化モードに分けられることを特徴とする請求項１に記載の光識別記録システム。
【発明の詳細な説明】
【技術分野】
【０００１】
本発明は、実体のレコードとデジタル音楽とが結合された光識別記録システムに関する。
【背景技術】
【０００２】
蓄音機（ｐｈｏｎｏｇｒａｐｈ）は機械録音及び音声を再現する装置である。１８７７年にエジソンが蓄音機を発明し、その後はグラモフォン（ｇｒａｍｏｐｈｏｎｅ）やレコードプレーヤー（ｒｅｃｏｒｄ  ｐｌａｙｅｒ）等とも呼ばれた。音の振動の波形が「レコード（ｒｅｃｏｒｄ）」の表面の溝に彫刻、食刻、切削、或いは押印される。音を発生させるため、レコードが回転すると共に溝に沿って再生針が摩擦することで振動が発生し、記録された音が非常に微弱に再現される。
【０００３】
１９７０年代から１９９０年代にかけてはカセット式録音テープ及びレコードが最も流行した音楽録音の２大保存形式であった。１９８２年にコンパクトディスク（Ｃｏｍｐａｃｔ  Ｄｉｓｃ、ＣＤ）が登場してからは、９０年代後半以降に実体のレコードの主流製品となり、現在に至るまで商業録音の標準的な保存装置となっている。
【０００４】
デジタル技術の不断の進化に伴い近年では合法的なオンライン音楽ショップが続々と登場し、デジタルダウンロード（ｄｉｇｉｔａｌ  ｄｏｗｎｌｏａｄ）及びストリーミングメディア（ｓｔｒｅａｍｉｎｇ  ｍｅｄｉａ）方式で運営されている。
【０００５】
ストリーミング音楽が軌道にのった現在でも実体のレコードは消滅していない。消費者が実体のレコードを購入することは、音楽家を支持する以外に、美しい物を収集する行為でもある。
【発明の概要】
【発明が解決しようとする課題】
【０００６】
本発明は、このような従来の問題に鑑みてなされたものである。本発明は、光識別記録システムを提供することを主目的とする。
【課題を解決するための手段】
【０００７】
本発明に係る光識別記録システムは、レコード及びレコードプレーヤーを備える。前記レコードの表面には光学識別コードを含む。前記レコードプレーヤーは前記レコードの再生に用いられ、ターンテーブルと、第一モーターと、アームと、処理装置と、メモリと、第二モーターと、を具備する。前記ターンテーブルに前記レコードが設置される。前記第一モーターは前記ターンテーブルを回転するように駆動させるために用いられる。前記アームは前記光学識別コードのイメージをキャプチャするために用いられる。前記処理装置は前記イメージに対して復号化を行って前記光学識別コードに対応するコードを獲得するために用いられる。前記メモリは前記コードに対応するオーディオファイルを含む。前記第二モーターは前記アームを回転するように駆動させるために用いられる。
【０００８】
本発明の好適例において、前記光識別記録システムは、前記コードに対応する前記オーディオファイルを再生するための少なくとも１つのスピーカーを更に備える。
【０００９】
本発明の好適例において、前記光識別記録システムは、ブルートゥース（登録商標）スピーカーとのブルートゥース接続を確立し、前記コードに対応する前記オーディオファイルを前記ブルートゥーススピーカーにより再生するための無線伝送モジュールを更に備える。或いは、前記無線伝送モジュールはモバイルデバイスとのブルートゥース接続を確立し、前記モバイルデバイスから伝送されたオーディオファイルを前記少なくとも１つのスピーカーにより再生する。
【００１０】
本発明の好適例において、前記レコードプレーヤーはメモリスロットを備え、前記メモリはユーザーにより前記メモリスロットに挿入される。
【００１１】
本発明の好適例において、前記アームの第一端はアーム回転軸に連結され、前記第二モーターは前記アーム回転軸を回転するように駆動させるために用いられる。
【００１２】
本発明の好適例において、前記アームの第二端はイメージセンサーが内設されるカートリッジを有し、前記イメージセンサーは前記光学識別コードのイメージをキャプチャするために用いられる。
【００１３】
本発明の好適例において、前記レコードプレーヤーは、前記レコードプレーヤーの再生及び制御情報を表示するための表示スクリーンを更に備える。
【００１４】
本発明の好適例において、前記レコードの材質として板紙を含む。
【００１５】
本発明の好適例において、前記レコードの材質としてプラスチックまたはグラファイトを含む。
【００１６】
本発明の好適例において、前記レコードの再生は暗号化モード及び非暗号化モードに分けられる。
【発明の効果】
【００１７】
本発明の実施形態に係る光識別記録システムは、高品質のロスレスデジタル音楽を提供する。また、レコードの再生プロセスと従来のレコードプレーヤーの再生プロセスとは相似し、音楽再生という「儀式感」を残し、且つレコードの保存性が更に高い。また、暗号化により楽曲の盗用や不正コピーも防止される。
【図面の簡単な説明】
【００１８】
【図１】本発明の一実施形態に係る光識別記録システムを示す傾斜図である。
【図２】本発明の一実施形態に係る光識別記録システムを示すブロック図である。
【発明を実施するための形態】
【００１９】
以下、図面を参照しつつ、本発明に係る光識別記録システムについて具体的に説明する。尚、以下に説明する実施の形態は、特許請求の範囲に記載された本発明の内容を限定するものではない。また、以下に説明される構成の全てが、本発明の必須要件であるとは限らない。
【００２０】
図１は本発明の一実施形態に係る光識別記録システムを示す傾斜図である。図２は本発明の一実施形態に係る光識別記録システムを示すブロック図である。光識別記録システム１はレコード１０及びレコードプレーヤー１２を備える（図１と図２参照）。
【００２１】
図１及び図２に示されるように、レコード１０の表面には肉眼では確認しにくい複数の光学識別コード１０１がプリントされている。光学識別コード１０１は従来のアレイパターンでもよい。または、出願者が先行して出願した台湾特許（台湾特許出願第１０６１１９４３６号、出願日２０１７年６月１２日）で述べているように、光学識別コードは数字、文字、及び符号の任意の組み合わせを含む。上述の台湾特許を本文に引用し、本案の明細書の一部分とする。
【００２２】
レコードプレーヤー１２はレコード１０の再生に用いられる。レコードプレーヤー１２は、ターンテーブル１２１と、アーム１２２と、第一モーター１２３と、第二モーター１２４と、処理ユニット１２５と、メモリ１２６と、を備えるが、但しこれらに限られない。レコード１０はターンテーブル１２１に設置される。第一モーター１２３はターンテーブル１２１を回転するように駆動させるために用いられる。本実施例では、第一モーター１２３はベルト（図示省略）を使用してターンテーブル１２１を回転するように駆動させる。ある実施例では、第一モーター１２３はターンテーブル１２１を回転するように直接駆動させる。
アーム１２２はこれら前記光学識別コード１０１のイメージをキャプチャするために用いられる。第二モーター１２４はアーム１２２を回転するように駆動させるために用いられる。詳しくは、アーム１２２の一端はアーム回転軸１２２１に連結され、第二モーター１２４はアーム回転軸１２２１を回転するように駆動させる。アーム１２２の他端はイメージセンサー（ｉｍａｇｅ  ｓｅｎｓｏｒ、図示省略）が内設されるカートリッジ１２２２を有し、これは例えば相補型ＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ、ＣＭＯＳ）イメージセンサーであり、前記イメージセンサーは前記複数の光学識別コード１０１のイメージをキャプチャするために用いられる。
第二モーター１２４がアーム回転軸１２２１を回転するように駆動させると、カートリッジ１２２２が半径方向に沿って徐々に移動し、カートリッジ１２２２が複数の光学識別コード１０１のイメージを順番にキャプチャする。ある実施例では、レコードプレーヤー１２が再生キーを有し、再生キーが押されると、第一モーター１２３によりターンテーブル１２１が回転するように駆動され、第二モーター１２４によりアーム回転軸１２２１が回転するように駆動される。ある実施例では、ユーザーが手でアーム１２２をターンテーブル１２１の上方まで移動させるかターンテーブル１２１に接近するように移動させると、第一モーター１２３によりターンテーブル１２１が回転するように駆動され、第二モーター１２４によりアーム回転軸１２２１が回転するように駆動される。
【００２３】
また、処理ユニット１２５は１つ以上の集積回路（ＩＣ）を備える。処理ユニット１２５はカートリッジ１２２２がキャプチャしたイメージに対して復号化を行い、キャプチャした光学識別コード１０１に対応するコードを獲得するために用いられる。
【００２４】
本実施例では、レコードプレーヤー１２内にはメモリ１２６を有する。好ましい実施形態では、メモリ１２６には複数のオーディオファイルが保存され、前記複数のオーディオファイルは複数のコードに対応し、前記複数のコードは複数の光学識別コード１０１にそれぞれ対応する。好ましい実施形態では、レコードプレーヤー１２はメモリスロット（図示省略）を含み、メモリ１２６はユーザーにより前記メモリスロットに挿入される。ある実施例では、メモリ１２６は各種サイズのＳＤメモリーカード（Ｓｅｃｕｒｅ  Ｄｉｇｉｔａｌ  Ｍｅｍｏｒｙ  Ｃａｒｄ）でもよい。他の実施例では、メモリ１２６はレコードプレーヤー１２内に固設される。ある実施例では、レコードプレーヤー１２は内蔵のメモリ及びメモリスロットに設置される他の着脱可能なメモリを同時に有し、オーディオファイルは任意のメモリに保存される（図１と図２参照）。
【００２５】
ある実施例では、レコードプレーヤー１２１は３．５ｍｍの標準音源ジャック（図示省略）または他の音源出力ジャックを備え、ユーザーは前記３．５ｍｍの標準音源ジャックをヘッドホン１２７やスピーカーに接続して前記コードに対応するオーディオファイルを聴くことができる（図１と図２参照）。
【００２６】
また、ある実施例では、レコードプレーヤー１２は少なくとも１つのスピーカー１２８（ｓｐｅａｋｅｒ）を更に備える。例えば、レコードプレーヤー１２の底部や側辺に２つのスピーカー１２８が配置され、前記コードに対応するオーディオファイルを再生するために用いられる。少なくとも１つの増幅回路１２８１により再生するオーディオ信号が処理される（図１と図２参照）。
【００２７】
また、ある実施例では、レコードプレーヤー１２が無線伝送モジュール１２９を備える。前記無線伝送モジュール１２９は少なくとも１つのブルートゥーススピーカー（図示省略）にブルートゥース接続されるかワイヤレス接続され、前記少なくとも１つのブルートゥーススピーカーにより前記コードに対応するオーディオファイルが再生される。
ある実施例では、無線伝送モジュール１２９はモバイルデバイス（例えば、携帯電話）にブルートゥース接続またはワイヤレス接続され、且つ少なくとも１つのスピーカー１２８により前記モバイルデバイスから伝送されたオーディオファイルが再生される。即ち、無線伝送モジュール１２９はブルートゥーススピーカーと双方向にブルートゥース接続され、前記コードに対応するオーディオファイルをブルートゥーススピーカーにより再生させる。或いは、モバイルデバイスにブルートゥース接続され、前記モバイルデバイスから伝送されたオーディオファイルをスピーカー１２８により再生させる。
【００２８】
レコードプレーヤー１２は前記レコードプレーヤー１２の再生及び制御情報を表示するための表示スクリーン（図示省略）を備え、例えば、現在再生中の曲目、音量、ネットワーク接続状態等を表示する（図１と図２参照）。
【００２９】
また、ある実施例では、レコードプレーヤー１２に必要な電力は外部から供給される。ある実施例では、レコードプレーヤー１２はＵＳＢ  Ｔｙｐｅ−Ｃのような少なくとも１つのＵＳＢインターフェース１３０を有し、前記ＵＳＢインターフェース１３０を介して外部からレコードプレーヤー１２に電力が供給される。ある実施例では、レコードプレーヤー１２が必要な電力を供給するための電池（図示省略）を有する。
【００３０】
レコードプレーヤー１２は複数のボタンまたはスイッチ１３１を有する。ある実施例では、レコードプレーヤー１２は電源供給をオンまたはオフにするための電源スイッチやロータリースイッチを有する。ある実施例では、レコードプレーヤー１２は音量調節用のロータリースイッチを有する。ある実施例では、前記電源スイッチまたはロータリースイッチが再生音量を同時に調節可能である。ある実施例では、レコードプレーヤー１２は電源状態指示ランプを有する（図１と図２参照）。
【００３１】
また、ある実施例では、レコードプレーヤー１２は回転速度調整スイッチまたは押しキー（図示省略）を有し、ターンテーブル１２１の回転速度を切り換えるために用いられる。従来のレコードプレーヤーの回転速度は４５ｒｐｍ、３３１／３ｒｐｍ、または７８回転であり、ターンテーブル１２１の回転速度は従来のレコードプレーヤーの回転速度と同じでも同じでなくてもよい。
【００３２】
また、ある実施例では、レコードプレーヤー１２は録音ボタン１３２及び接続用の受音孔１３３または接続ジャック１３３を有するマイクを備え、ユーザーが録音ボタン１３２を押すと、受音孔１３３またはマイクにより音が録音され、且つ録音されたオーディオファイルがメモリ１２６に保存される。
【００３３】
本発明の実施形態によると、カートリッジ１２２２が光学識別コードを読み取る際にレコード１０の表面に接触する必要がなく、レコード１０との摩擦が生じない。よって、レコード１０は光学識別コード１０１が印刷可能なあらゆる材質で製造可能である。ある実施例では、レコード１０の材質として板紙を含む。ある実施例では、レコード１０の材質としてプラスチックを含む。ある実施例では、レコード１０の材質としてグラファイトまたは金属を含む。ある実施例では、レコード１０の材質として上述の材料の組み合わせを含む。レコード１０の表面には従来のようなレコードの溝を有し、レコード１０の信頼性を高めるためのナノメッキを有してもよい。また、レコード１０の表面にはモノクロまたはカラーパターンがプリントされる。ある実施例では、レコード１０は一定程度の透明度を有する。レコード１０は従来のレコードと同じサイズであり、例えば、１０インチや１２インチである。ある実施例では、レコード１０のサイズは約８インチまたはそれ以下であり、収集に便利になる。
【００３４】
レコード１０の再生は暗号化モード及び非暗号化モードに分けられる。ある実施例では、レコード１０が暗号化モードで再生される。ある実施例では、メモリに保存されるオーディオファイルが暗号化されてレコード１０の光学識別コード１０１と紐付けられ、デジタルコンテンツの保護が達成される。
【００３５】
本発明の一実施形態によると、レコード１０が再生するオーディオファイルは使用者が自分で録音したものであり、メモリ１２６に保存される。ある実施例では、ユーザーは「空のレコード」を購入してもよい。前記空のレコードの表面には同様に複数の光学識別コード１０１がプリントされる。例えば、前記空のレコードの各片面が１０個のオーディオトラック領域に区分され、各オーディオトラック領域の表面の光学識別コード１０１は１つのコードに対応する。例えば、レコード１０の第一表面の光学識別コード１０１が１００１、１００２、１００３・・・１０１０の１０個のコードに対応し、レコード１０の第二表面の光学識別コード１０１が２００１、２００２、２００３・・・２０１０の１０個のコードに対応する。
ユーザーはレコードプレーヤー１２の録音ボタン１３２を使用して録音可能であり、或いは他の設備を利用して録音を行い、録音したオーディオファイルをメモリ１２６に保存し、オーディオファイルのファイル名を１００１、１００２・・・１０１０及び２００１、２００２・・・２０１０等とする。ある実施例では、ユーザーが録音したオーディオファイルはＭＰ３ファイル（ＭＰＥＧ（Ｍｏｖｉｅ  Ｐｉｃｔｕｒｅ  Ｅｘｐｅｒｔｓ  Ｇｒｏｕｐ）１ｏｒ２Ｌａｙｅｒ３）でもよい。ある実施例では、複数の特定のコードがユーザーにより録音される。前記オーディオファイルはネットからダウンロードしたオーディオファイルでもよい。ある実施例では、レコード１０には１つまたは複数のコードが保留され、ユーザーが録音可能である。ある実施例では、操作インターフェースは、ユーザーが編集可能なエクセル表形式でもよい。例えば、前記表のある列が１００１、１００２、１００３・・・１０１０等のコードであり、前記表の別の列にユーザーが各コードに対応するオーディオファイルのファイル名を入力し、且つこれら前記オーディオファイルをメモリ１２６に保存する。
【００３６】
再生原理の違いに基づいて、レコード１０の片面の再生時間が数十分間、数時間、或いはそれ以上でもよい。ある実施例では、レコード１０の片面再生時間を数時間以上とすることで面を切り換える回数を減らす。
【００３７】
ある実施例では、メモリに保存されるオーディオファイル、或いはネットワークを介してレコード会社から合法的にダウンロードしたオーディオファイルの形式がＭＰ３オーディオファイルではなく、デジタル著作権管理（ＤＲＭ）で許可されたメディアファイルである。これらのオーディオファイルは一般的なパソコンのフォルダには伝送できず、ＭＰ３プレーヤーまたはＣＤに焼くことで聴取可能となる。これは楽曲の盗用及び不正コピーを防止するためである。
【００３８】
本発明の実施形態では、メモリ１２６に保存されたオーディオファイルは高品質なデジタルオーディオファイルでもよい。メモリ１２６はレコード１０とバンドル販売されてもよく、或いは、ネットからダウンロードしてメモリ１２６に保存してもよい。ある実施例では、メモリ１２６に保存されたオーディオファイルは、レコード会社が録音したマザーテープをＦＬＡＣ（Ｆｒｅｅ  Ｌｏｓｓｌｅｓｓ  Ａｕｄｉｏ  Ｃｏｄｅｃ）ファイルに変換した後にメモリ１２６に保存し、全過程が専門的な録音スタジオ内で完結したものであり、いかなる雑音もポストプロダクションもなく、理論上最もマザーテープに近い品質を有する。
【００３９】
ある実施例では、メモリ１２６に保存されたオーディオファイル、或いはネットを経由してレコード会社から合法的にダウンロードしたオーディオファイルの保存形式としてパルス符号変調（Ｐｕｌｓｅ−ｃｏｄｅ  ｍｏｄｕｌａｔｉｏｎ、ＰＣＭ）及びリニアＰＣＭ（Ｌｉｎｅａｒ  ｐｕｌｓｅ−ｃｏｄｅ  ｍｏｄｕｌａｔｉｏｎ、ＬＰＣＭ）を含む以外、ダイレクトストリームデジタル（ＤＳＤ、Ｄｉｒｅｃｔ  Ｓｔｒｅａｍ  Ｄｉｇｉｔａｌ）のコード形式でもよい。
【００４０】
また、本発明に係る光識別記録システム１は、デジタル音楽及びアナログ音楽の長所を兼ね備える。まず、レコード１０は実体のレコードであり、高品質なロスレスデジタル音楽を再生可能であるほか、レコードのジャケット、表紙のデザイン、文字の紹介も従来のレコードと差異がなく、独特の美感を有する。ユーザーにとっては音楽が「仮想」のものではなく、実体のある「保有」可能なものであり、デジタル音楽が芸術性及び商品価値を兼ね備えたリアルな音楽製品となる。
【００４１】
また、本発明に係る光識別記録システム１は、音楽再生の「儀式感」を残す。従来のレコードを聴く場合、壊れやすいレコードをジャケットから慎重に取り出し、レコードプレーヤーに設置してからアームを持ち上げ、カートリッジに丁寧に下ろした後にやっと再生できる。いくらも経たないうちに面を交換せねばならず、その全過程が煩雑である。
然しながら、「再生儀式」を毎回繰り返す度に記憶に深く刻まれ、聴取者により印象深い体験として記憶される。最後に、儀式感がユーザーにレコードの深い印象を与えるため、ユーザーがレコードに金を払うだけの価値を見出す。本発明に係る光識別記録システム１のレコード１０の再生プロセスは、従来のレコードプレーヤーの再生プロセスと相似し、音楽再生の「儀式感」を残す。また、暗号化により楽曲の盗用及び不正コピーも防止する。
【００４２】
また、本発明に係る光識別記録システムは、レコード１０の再生時にカートリッジ１２２２がレコード１０と接触しない。よって、レコード１０が磨損しない。また、メモリ１２６に保存されるオーディオファイルの音質は再生回数が増加しても損なわれない。従来のレコードと比較するとレコード１０の保存性が高い。
【００４３】
本発明に係る光識別記録システム１は、高品質なロスレスデジタル音楽を提供するのみならず、従来の音楽レコードの完全性及び概念を残し、音楽ファンのレコードを聴く、収集するという体験を復活させる。
【００４４】
本明細書に記載の各／全ての実施形態は、本分野に習熟する技術者がこれらに基づいて様々な修飾、変化、結合、交換、省略、代替、相等の変化を実施可能であり、互いに相反しなければ全て本発明の概念に含まれ、本発明の範囲に属する。本案に係る実施形態の特徴に対応する或いは関連する構造や方法、及び／または発明者や授権者のあらゆる出願中の、放棄した、または既に認められた出願案は全て本文に引用され、本案の明細書の一部分を成す。
引用される部分は、対応する、関連する、及び修飾する一部分または全部分を含み、（１）操作可能な及び／または構築可能な、（２）本分野に習熟する技術者が修飾した操作可能な及び／または構築可能な、（３）実施／製造／使用或いは結合する本案の明細書、本案に関連する出願案、及び本分野に習熟する技術者の常識及び判断に基づいたあらゆる部分を含む。
【００４５】
ちなみに、ある条件文または助詞、例えば「できる（ｃａｎ）」、「可能である（ｃｏｕｌｄ）」、「可能性もある（ｍｉｇｈｔ）」、或いは「かもしれない（ｍａｙ）」は、通常本案の実施形態が有する不要である可能性もある特徴、部材、または工程を表現する。他の実施形態では、これらの特徴、部材、または工程は不要である場合もある。
【００４６】
本文は前述の文書の内容を全て本文に引用し、本案の明細書の一部分とする。本発明に係る実施形態は例示にすぎず、本発明の範囲を制限するものではない。本発明について述べた特徴や方法、工程、及び技術を含む他の特徴と、関連する出願案で述べる特徴や構造のあらゆる結合や変更とは、部分的或いは全てが本案とは不等の、別々の、代替不可能な実施形態であると見做す。
本発明に記載の特徴及び方法に対応または関連するものとして、文中から導き出される相反しないもの、及び本分野に習熟する技術者が行う修飾の一部分または全部を含み、（１）操作可能な及び／または構築可能な、（２）本分野に習熟する技術者の知識に基づいて修飾を行った操作可能な及び／または構築可能な、（３）実施／製造／使用或いは結合する本案の明細書のあらゆる部分として、（Ｉ）本発明または関連する構造及び方法のあらゆる１つ以上の部分、及び／または（ＩＩ）本発明について述べる何れか１つ以上の発明の概念及びその部分の内容のあらゆる変更及び／または組み合わせを含み、前記何れか１つ以上の特徴または実施形態の内容のあらゆる変更及び／または組み合わせを含む。
【符号の説明】
【００４７】
１  光識別記録システム
１０  レコード
１２  レコードプレーヤー
１０１  光学識別コード
１２１  ターンテーブル
１２２  アーム
１２３  第一モーター
１２４  第二モーター
１２５  処理ユニット
１２６  メモリ
１２７  ヘッドホン
１２８  スピーカー
１２９  無線伝送モジュール
１３０  ＵＳＢインターフェース
１３１  ボタンまたはスイッチ
１３２  録音ボタン
１３３  受音孔／接続ジャック
１２２１  アーム回転軸
１２２２  カートリッジ
１２８１  増幅回路
【要約】      （修正有）【課題】光識別記録システムを提供する。【解決手段】光識別記録システム１は、実体のレコード１０とデジタル音楽とが結合された光識別記録システムであり、レコード１０及びレコードプレーヤー１２を備える。レコードの表面には光学識別コード１０１がプリントされ、レコードプレーヤーのターンテーブル１２１によりレコードが回転される。アーム１２２はレコード表面の光学識別コードを読み取り可能なカートリッジ１２２２を有し、これにより対応するオーディオファイルが復号化されて再生される。【選択図】図１【図１】
0006821212.tif 000002
【図２】
0006821212.tif 000003